(57)【要約】【課題】スイッチ・ノブの操作に係わらずスイッチ・ノブの照度を一定とし、運転者等の違和感を抑制可能とする。【解決手段】スイッチ固定側部であるスイッチ・ケース７及び基板ブロック３９に対し操作位置へ位置決めるための矢印Ａへの押圧ストローク及び操作位置から元位置へ復帰させるための矢印Ｂへの復帰ストロークが可能に支持されたスイッチ・ノブ３と、基板ブロック３９に支持されてスイッチ・ノブ３を透過照明する夜間照明回路５３のＬＥＤ５とを備え、スイッチ・ノブ３の押圧ストローク及び復帰ストロークにより負荷回路４１の負荷スイッチ接点３４を連動させるプッシュ・スイッチ１であって、ＬＥＤ５の夜間照明回路５３に、スイッチ・ノブ３の押圧ストロークに応じて夜間照明回路５３の抵抗値を増大させ、ＬＥＤ５の輝度を減少させるポテンショ・メータ３６を設けたことを特徴とする。【選択図】図１
2009104959.tif 000002
【特許請求の範囲】
【請求項１】
スイッチ固定側部に対し操作位置へ位置決めるための押圧ストローク及び前記操作位置から元位置へ復帰させるための復帰ストロークが可能に支持されたスイッチ・ノブと、
前記スイッチ固定側部に支持されて前記スイッチ・ノブを透過照明する照明回路の光源部とを備え、
前記スイッチ・ノブの押圧ストローク及び復帰ストロークにより負荷回路の負荷スイッチ接点を連動させるプッシュ・スイッチであって、
前記スイッチ・ノブのストロークにより前記光源部側の輝度を変化させ前記スイッチ・ノブの前記操作位置及び元位置での照度を一定に保持させる可変調整部を設けた、
ことを特徴とするプッシュ・スイッチ。
【請求項２】
請求項１記載のプッシュ・スイッチであって、
前記可変調整部は、前記スイッチ・ノブの押圧ストロークに応じて前記照明回路の抵抗値を増大させる、
ことを特徴とするプッシュ・スイッチ。
【請求項３】
請求項２記載のスイッチ装置であって、
前記可変調整部は、前記スイッチ・ノブが連動させる負荷スイッチ接点に連動させたポテンショ・メータである、
ことを特徴とするプッシュ・スイッチ。
【発明の詳細な説明】
【技術分野】
【０００１】
本発明は、自動車のハザード・スイッチ、リヤ・デフォガ・スイッチ等に供されるプッシュ・スイッチに関する。
【背景技術】
【０００２】
従来、プッシュ・スイッチとして、特許文献１に記載のようなものがある。
【０００３】
このプッシュ・スイッチは、概略を示すと、例えば、図５〜図７のような構造であり、図８のような特性を持つ。
【０００４】
図５（ａ）は、スイッチ・ノブの元位置と光源部との位置関係を示す概略図、図５（ｂ）は、スイッチ・ノブの操作位置と光源部との位置関係を示す概略図、図６は、負荷回路及び夜間照明回路を示す回路図、図７は、負荷回路の接点位置を示す負荷回路及び夜間照明回路の回路図、図８は、ノブ・ストロークに対するノブ照明の関係を示すグラフである。
【０００５】
図５のように、光源部としてＬＥＤ１０１がスイッチ固定側部１０３に支持されてスイッチ・ノブ１０５を照明する構造となっている。スイッチ・ノブ１０５には、透過光部１０５ａが形成され、ＬＥＤ１０１の発光により透過光部１０５ａを介してスイッチ・ノブ１０５が透過照明される構成となっている。
【０００６】
前記スイッチ・ノブ１０５は、図５（ａ）の元位置から図５（ｂ）の操作位置へ押圧可能であり、この操作位置から図５（ａ）の元位置へ復帰が可能に支持されている。
【０００７】
このスイッチ・ノブ１０５の押圧及び復帰操作により図６，図７の負荷スイッチ接点１０７が連動する。
【０００８】
図６，図７のように、負荷スイッチ接点１０７は、負荷回路１０９に設けられ、ＬＥＤ１０１は、夜間照明回路１１１に設けられている。
【０００９】
前記負荷回路１０９には、負荷１１３としてハザード・ランプ、リヤ・デフォガ等が接続されている。
【００１０】
前記夜間照明回路１１１には、ライト・スイッチ１１５及び電源制限抵抗１１７が接続されている。
【００１１】
そして、スイッチ・ノブ１０５が図５（ａ）の元位置にあるとき、スイッチ接点１０７は、図６の破線図示のように開となり、図７では、スイッチ・オフ（ＳＷ ＯＦＦ）の破線位置となっている。
【００１２】
前記スイッチ・ノブ１０５を押圧ストロークさせて図５（ｂ）の操作位置に位置決めると、負荷スイッチ接点１０７は、図６の実線図示のように閉となり、図７では、スイッチ・オン（ＳＷ ＯＮ）の実線位置となる。
【００１３】
前記負荷スイッチ接点１０７の閉状態は、例えばスイッチ・ノブ１０５がハート・カム機構の連動により操作位置でロックされることにより保持される。スイッチ・ノブ１０５を操作位置で僅かに押し込むとハート・カム機構によるロックが外れる。この外れによりリターン・スプリングの付勢力を介し、スイッチ・ノブ１０５が元位置へ復帰ストロークする。
【００１４】
夜間は、ライト・スイッチ１１５をオンさせることによりＬＥＤ１０１を発光させ、スイッチ・ノブ１０５を前記のように透過照明させることができる。
【００１５】
この場合、ＬＥＤ１０１の光源輝度は、電流制限抵抗１１７により決まるので図８の線分１１９のように一定となる。これに対し、スイッチ・ノブ１０５は、図５（ｂ）のように操作位置ではＬＥＤ１０１に近く、復帰ストローク後の元位置では図５（ａ）のようにＬＥＤ１０１から遠くなる。
【００１６】
このため、図５（ａ）の元位置と図５（ｂ）の操作位置との間のストロークによりＬＥＤ１０１によるスイッチ・ノブ１０５の透過照明による透過光部１０５ａのノブ照度は、図８の破線１２１のようにスイッチ・オフ側が低くなるように直線的に変化する態様となる。
【００１７】
かかる照度変化により、スイッチ・ノブ１０５の透過照明は、図５（ａ）のスイッチ・オフ位置で暗く、図５（ｂ）のスイッチ・オン位置で明るくなり、運転者等に違和感を与える恐れがあった。
【００１８】
【特許文献１】特開平９−３２０３８７号公報
【発明の開示】
【発明が解決しようとする課題】
【００１９】
解決しようとする問題点は、スイッチ・ノブの操作によりノブ照度が変化し、違和感を与える恐れがあった点である。
【課題を解決するための手段】
【００２０】
本発明は、スイッチ・ノブの操作に係わらずスイッチ・ノブの照度を一定とし、運転者等の違和感を抑制可能とするため、スイッチ固定側部に対し操作位置へ位置決めるための押圧ストローク及び前記操作位置から元位置へ復帰させるための復帰ストロークが可能に支持されたスイッチ・ノブと、前記スイッチ固定側部に支持されて前記スイッチ・ノブを透過照明する夜間照明回路の光源部とを備え、前記スイッチ・ノブの押圧ストローク及び復帰ストロークにより負荷回路のスイッチ接点を連動させるプッシュ・スイッチであって、前記スイッチ・ノブの押圧ストロークにより前記光源部側の輝度を変化させ前記スイッチ・ノブの前記操作位置及び元位置での照度を一定に保持させる可変調整部を設けたことを最も主要な特徴とする。
【発明の効果】
【００２１】
本発明は、スイッチ固定側部に対し操作位置へ位置決めるための押圧ストローク及び前記操作位置から元位置へ復帰させるための復帰ストロークが可能に支持されたスイッチ・ノブと、前記スイッチ固定側部に支持されて前記スイッチ・ノブを透過照明する夜間照明回路の光源部とを備え、前記スイッチ・ノブの押圧ストローク及び復帰ストロークにより負荷回路の負荷スイッチ接点を連動させるプッシュ・スイッチであって、前記スイッチ・ノブのストロークにより前記光源部側の輝度を変化させ前記スイッチ・ノブの前記操作位置及び元位置での照度を一定に保持させる可変調整部を設けた。
【００２２】
従って、スイッチ・ノブの押圧ストロークに係わらずスイッチ・ノブの照度を一定に保持させ、運転者等の違和感を抑制することができる。
【発明を実施するための最良の形態】
【００２３】
スイッチ・ノブの押圧ストロークに係わらずスイッチ・ノブの照度を一定とし、運転者等の違和感を抑制可能にするという目的を、スイッチ・ノブのストロークにより光源部側の輝度を変化させてスイッチ・ノブの操作位置及び元位置での照度を一定に保持させる可変調整部により実現した。
【実施例１】
【００２４】
図１は、本発明の実施例に係るプッシュ・スイッチを示す分解斜視図、図２は、負荷回路及び夜間照明回路を示す回路図、図３は、負荷回路の接点位置を示す負荷回路及び夜間照明回路の回路図、図４は、ノブ・ストロークに対するノブ照明の関係を示すグラフである。
【００２５】
図１のように、プッシュ・スイッチ１は、スイッチ・ノブ３と光源部としてのＬＥＤ５とを備えている。
【００２６】
前記スイッチ・ノブ３は、スイッチ固定側部であるスイッチ・ケース７に対し操作位置へ位置決めるための押圧ストローク及び前記操作位置から元位置へ復帰させるための復帰ストロークが可能に支持されている。
【００２７】
前記スイッチ・ノブ３には、透過照明用の透過光部３ａ，３ｂが形成されている。このスイッチ・ノブ３は、可動ベース９に着脱可能に結合固定されている。可動ベース９は、前記スイッチ・ケース７に可動支持され、前記スイッチ・ノブ３の押圧ストロークを矢印Ａ方向へ可能とし、前記同復帰ストロークを矢印Ｂ方向へ可能としている。
【００２８】
前記スイッチ・ケース７と可動ベース９との間には、コイル・スプリングで形成されたリターン・スプリング１１が介設されている。リターン・スプリング１１の一端は、スイッチ・ケース７のばね受け座１３で受けられ、同他端は、可動ベース９の先端に形成されたばね受け凹部（図示せず）に受けられている。このリターン・スプリング１１の付勢力により、スイッチ・ノブ３は可動ベース９を介して押圧ストローク前の元位置に位置決められる。
【００２９】
前記スイッチ・ケース７と可動ベース９との間には、プッシュ・ロック機構１５が設けられている。プッシュ・ロック機構１５は、ハート・カム１７を備えている。ハート・カム１７は、スイッチ・ケース７の凹部１９内に収容されている。ハート・カム１７は、凹部１９内で支軸２１に係合し、揺動可能且つ矢印Ａ，Ｂ方向へ若干の移動が可能に支持されている。
【００３０】
前記ハート・カム１７とスイッチ・ケース７のばね受け部２２との間に、コイル・スプリングで形成されたプッシュ・ロックばね２３が介設されている。このプッシュ・ロックばね２３は、ハート・カム１７を矢印Ａ方向へ付勢している。
【００３１】
前記ハート・カム１７のカム溝２５には、ロック・ピン２７の一端が係合されている。このロック・ピン２７は、可動ベース９のピン支持孔２９に挿通されている。ピン支持孔２９は、可動ベース９の接点支持部３１内中央に形成されている。ロック・ピン２７の他端は、弾性片３３により付勢支持されている。弾性片３３は、接点支持部３１内中央部に取り付けられている。
【００３２】
前記接点支持部３１内には、負荷可動接点３５及び照明可動接点３７が取り付けられている。負荷可動接点３５は、負荷スイッチ接点３４の可動側を構成する。照明可動接点３７は、可変調整部であるポテンショ・メータ３６の可動側を構成する。これら負荷可動接点３５及び照明可動接点３７は、弾性片３３の両側に離間して配置されている。
【００３３】
前記負荷スイッチ接点３４は、後述のように負荷回路に設けられている。前記ポテンショ・メータ３６は、後述のように光源部であるＬＥＤ５の夜間照明回路に設けられている。このポテンショ・メータ３６は、例えばリニア・ポテンショ・メータであり、負荷スイッチ接点３４に連動し、前記スイッチ・ノブ３の押圧ストロークに応じて前記ＬＥＤ５の輝度を減少させて前記スイッチ・ノブ３の操作位置及び元位置での照度を一定に保持させるものである。
【００３４】
本実施例では、前記スイッチ・ノブ３の押圧ストロークに応じて後述する夜間照明回路の抵抗値を増大させる構成となっている。
【００３５】
前記スイッチ・ケース７に対し、基板ブロック３９が固定支持されている。基板ブロック３９は、図１においてスイッチ・ケース７に対し９０°回転して図示しており、基板面４１が可動ベース９に対向する。
【００３６】
前記基板面４１には、ランプ台４３が形成され、前記ＬＥＤ５が支持されている。このようにＬＥＤ５は、スイッチ固定側部である基板ブロック３９に支持されて前記スイッチ・ノブ３を透過照明可能となっている。
【００３７】
前記基板面４１には、負荷固定接点４５及び照明固定接点４７が取り付けられている。負荷固定接点４５は、負荷スイッチ接点３４の固定側を構成し、照明固定接点４７は、ポテンショ・メータ３６の固定側を構成する。
【００３８】
前記負荷固定接点４５は、第１負荷接点部４５ａ、第２，第３負荷接点部４５ｂ、４５ｃを備えている。第１負荷接点部４５ａは電源側に接続され、第２負荷接点部４５ｂは、負荷側に接続されるものであり、コネクタ部４９内の対応する各端子に接続されている。第３負荷接点部４５ｃは、オフ接点として設けられている。
【００３９】
前記照明固定接点４７は、直線的な第１照明接点部４７ａ、第２照明接点部４７ｂを備えている。第１照明接点部４７ａは電源側に接続され、第２照明接点部４７ｂは、アース側に接続されるものであり、コネクタ部４９内の対応する各端子に接続されている。
【００４０】
前記照明固定接点４７の第２照明接点部４７ｂは、照明可動接点３７の接触位置により抵抗値を積極的に変化させるものであり、本実施例においてカーボン基板により形成されている。
［負荷回路及び夜間照明回路］
図２，図３のように、前記負荷スイッチ接点３４は、負荷回路５１に設けられ、前記ＬＥＤ５は、夜間照明回路５３に設けられている。
【００４１】
前記負荷回路５１には、負荷５５としてハザード・ランプ、リヤ・デフォガ等が接続されている。
【００４２】
前記夜間照明回路５３には、前記ＬＥＤ５及びポテンショ・メータ３６の他にライト・スイッチ５７が接続されている。
［スイッチ動作］
図１において、スイッチ・ノブ３を押圧操作すると、可動ベース９がスイッチ・ケース７及び基板ブロック３９に対してノブ押圧方向（矢印Ａ方向）へリターン・スプリング１１の付勢力に抗して押圧ストロークする。
【００４３】
この可動ベース９の動作によりハート・カム１７が、ロック・ピン２７に駆動されて、支軸２１を基準に揺動する。この揺動によりロック・ピン２７がカム溝２５のロック位置で係止状態になる。この係止状態では、ロック・ピン２７を介し可動ベース９がハート・カム１７に対して保持され、スイッチ・ノブ３が操作位置で位置決められる。
【００４４】
スイッチ・ノブ３を再度押圧操作すると、ロック・ピン２７のカム溝２５に対する係止が解除され、リターン・スプリング１１の付勢力により可動ベース９が矢印Ｂ方向へ復帰ストロークし、スイッチ・ノブ３は、操作前の元位置へ自動復帰する。
【００４５】
この場合、前記のように可動ベース９に負荷可動接点３５が支持されることで、スイッチ・ノブ３の押圧ストローク及び復帰ストロークにより負荷可動接点３５を連動させる。また、可動ベース９にポテンショ・メータ３６の照明可動接点３７が支持されることで、前記スイッチ・ノブ３の押圧ストロークに応じて照明可動接点３７を連動させる。
【００４６】
前記ポテンショ・メータ３６は、前記のようにリニア・ポテンショ・メータであり、照明可動接点３７がスイッチ・ノブ３の押圧ストロークに応じて移動するとき、図３のように第１照明接点部４７ａ、第２照明接点部４７ｂに対して接触位置が変化する（図３の破線位置（ＳＷ ＯＦＦ、距離最大）から実線位置（ＳＷ ＯＮ、距離最小））。  
この接触位置の変化により第２照明接点部４７ｂに対する接触長さが変化し、押圧ストローク前の破線位置で第２照明接点部４７ｂの抵抗値が最小となり、押圧ストローク後の実線位置で同最大となる。
【００４７】
すなわち、スイッチ・ノブ３の押圧ストローク前、スイッチ・ノブ３とＬＥＤ５との距離が大きいとき、負荷スイッチ接点３４はオフであり、第２照明接点部４７ｂの抵抗値は図４の線分５９のように最少となる。
【００４８】
スイッチ・ノブ３の押圧ストローク後、スイッチ・ノブ３とＬＥＤ５との距離が小さいとき、負荷スイッチ接点３４はオンで負荷５１が動作し、同時に第２照明接点部４７ｂの抵抗値は図４の線分５９のように増大する（図中左側）。
【００４９】
この抵抗値の増大により、ライト・スイッチ５７がオンとなっているとき、ＬＥＤ５の輝度は、線分６１のように減少し、スイッチ・ノブ３のノブ照度は、線分６３のように一定となる。
【００５０】
かかるノブ照度の一定により、スイッチ・ノブ３の透過照明による透過光部３ａ，３ｂの照度は、負荷スイッチ３４のオフ位置（スイッチ・ノブ３の元位置）及びオン位置（スイッチ・ノブ３の操作位置）の何れにおいても同等にすることができる。
［実施例の効果］
本発明実施例では、スイッチ固定側部であるスイッチ・ケース７及び基板ブロック３９に対し操作位置へ位置決めるための矢印Ａへの押圧ストローク及び前記操作位置から元位置へ復帰させるための矢印Ｂへの復帰ストロークが可能に支持されたスイッチ・ノブ３と、前記基板ブロック３９に支持されて前記スイッチ・ノブ３を透過照明する夜間照明回路５３のＬＥＤ５とを備え、前記スイッチ・ノブ３の押圧ストローク及び復帰ストロークにより負荷回路４１の負荷スイッチ接点３４を連動させるプッシュ・スイッチ１であって、前記ＬＥＤ５の夜間照明回路５３に、前記スイッチ・ノブ３の押圧ストロークに応じて前記夜間照明回路５３の抵抗値を増大させ、前記ＬＥＤ５の輝度を減少させるポテンショ・メータ３６を設けた。
【００５１】
このため、スイッチ・ノブ３の押圧ストロークに係わらずスイッチ・ノブ３の操作位置及び元位置での照度を一定に保持させ、運転者等の違和感を抑制することができる。
［その他］
なお、上記実施例では、押圧ストロークに応じて夜間照明回路５３の抵抗値をリニアに増大させ、スイッチ・ノブ３の全ストロークでノブ照度が一定となるようにしたが、スイッチ・ノブ３の操作位置と元位置とのノブ照度が一定であれば良く、スイッチ・ノブ３の操作途中のノブ照度は、必ずしも一定である必要はない。
【００５２】
また、上記実施例では、スイッチ・ノブ３の元位置でのＬＥＤ５の輝度を基準に操作位置での輝度を低下させたが、スイッチ・ノブ３の操作位置でのＬＥＤ５の輝度を基準に元位置での輝度を高く設定することも可能である。
【００５３】
さらに、スイッチ・ノブ３の操作位置での位置決め時にＬＥＤ５に透過光を減少させるフィルタを被せるようにするなどして輝度を減少させ、スイッチ・ノブ３の操作位置と操作前の元位置とで照度を一定にすることも可能である。
【図面の簡単な説明】
【００５４】
【図１】プッシュ・スイッチを示す分解斜視図である。（実施例１）
【図２】負荷回路及び夜間照明回路を示す回路図である。（実施例１）
【図３】負荷回路の接点位置を示す負荷回路及び夜間照明回路の回路図である。（実施例１）
【図４】ノブ・ストロークに対するノブ照明の関係を示すグラフである。（実施例１）
【図５】（ａ）は、スイッチ・ノブの元位置と光源部との位置関係を示す概略図、（ｂ）は、スイッチ・ノブの操作位置と光源部との位置関係を示す概略図である。（従来例）
【図６】負荷回路及び夜間照明回路を示す回路図である。（従来例）
【図７】負荷回路の接点位置を示す負荷回路及び夜間照明回路の回路図である。（従来例）
【図８】ノブ・ストロークに対するノブ照明の関係を示すグラフである。（従来例）
【符号の説明】
【００５５】
１  プッシュ・スイッチ
３  スイッチ・ノブ
５  ＬＥＤ（光源部）
７  スイッチ・ケース（スイッチ固定側部）
３４  負荷スイッチ接点
３６  ポテンショ・メータ（可変調整部）
３９  基板ブロック（スイッチ固定側部）
４１  負荷回路
５３  夜間照明回路
【図１】
2009104959.tif 000003
【図２】
2009104959.tif 000004
【図３】
2009104959.tif 000005
【図４】
2009104959.tif 000006
【図５】
2009104959.tif 000007
【図６】
2009104959.tif 000008
【図７】
2009104959.tif 000009
【図８】
2009104959.tif 000010